(57)【特許請求の範囲】
【請求項１】
レンズと、
このレンズを支持する支持部と、
この支持部がスライド可能に取り付けられたガイドシャフトと、
このガイドシャフトを支持し第１の鏡筒と第２の鏡筒とにより成る鏡筒本体と、を備え、
前記第１の鏡筒は、前記ガイドシャフトを受ける凹部を有し、
前記第２の鏡筒は、前記ガイドシャフトを押さえる押さえ部を有すると共に、前記押さえ部の前記ガイドシャフトと当接する部分を薄肉の薄肉部とされており、
前記鏡筒本体は、前記凹部に前記ガイドシャフトを挿入し前記第２の鏡筒を前記第１の鏡筒に取り付けた際に、前記薄肉部の塑性変形により前記ガイドシャフトを前記凹部に押し付けて前記ガイドシャフトを支持するように構成されて成ることを特徴とするレンズ鏡筒。
【請求項２】
レンズと、
このレンズを支持する支持部と、
この支持部がスライド可能に取り付けられたガイドシャフトと、
このガイドシャフトを支持し第１の鏡筒と第２の鏡筒とにより成る鏡筒本体と、を備え、
前記第１の鏡筒は、前記ガイドシャフトを受ける凹部を有し、
前記第２の鏡筒は、前記ガイドシャフトを押さえる押さえ部を有すると共に、前記押さえ部の前記ガイドシャフトと当接する当接面を凹凸面とされており、
前記鏡筒本体は、前記凹部に前記ガイドシャフトを挿入し前記第２の鏡筒を前記第１の鏡筒に取り付けた際に、前記当接面の塑性変形により前記ガイドシャフトを前記凹部に押し付けて前記ガイドシャフトを支持するように構成されて成ることを特徴とするレンズ鏡筒。
【発明の詳細な説明】
【０００１】
【発明の属する技術分野】
本発明はレンズ鏡筒の改良に関する。
【０００２】
【従来の技術】
ズームレンズ鏡筒として、例えば▲１▼特開平５−２３２３６９号公報「ズームレンズ鏡胴」や▲２▼特開平８−２６２３０９号公報「ズームレンズ鏡胴」が知られている。
上記▲１▼は、同公報図１〜図３によれば、レンズ鏡胴１０３に軸支凹部１１１ａ，１１３ａ，１１２ａ，１１４ａを形成し、レンズ鏡胴２０１に軸抑え２０２，２０３，２０４，２０５形成し、軸支凹部１１１ａ，１１３ａに上側ガイド棒１２１を差込み、軸支凹部１１２ａ，１１４ａに下側ガイド棒１２２を差込み、函体１０３に蓋部材２０１を被せ、軸抑え２０２，２０３，２０４，２０５で上側ガイド棒１２１及び下側ガイド棒１２２を固定支持するものである。
【０００３】
上記▲２▼は、同公報図１〜図３によれば、函体１１に切り欠き部１１２ａ，１１２ａ，１１２ｂ，１１２ｂを形成し、蓋部材１２に案内軸保持部１２１ａ，１２１ａ，１２１ｂ，１２１ｂを弾性変形可能に形成し、切り欠き部１１２ａ，１１２ａに案内軸１１１ａを差込み、切り欠き部１１２ｂ，１１２ｂに案内軸１１１ｂを差込み、函体１１に蓋部材１２を被せ、案内軸保持部１２１ａ，１２１ａ，１２１ｂ，１２１ｂで案内軸１１１ａ，１１１ｂを弾性的に押えるものである。
【０００４】
【発明が解決しようとする課題】
しかし、上記▲１▼では、軸支凹部１１１ａ，１１３ａに上側ガイド棒１２１を差込み、軸支凹部１１２ａ，１１４ａに下側ガイド棒１２２を差込み、函体１０３に蓋部材２０１を被せ、軸抑え２０２，２０３，２０４，２０５で上側ガイド棒１２１及び下側ガイド棒１２２を固定支持したときに、軸抑え２０２，２０３，２０４，２０５のばらつきによって、上側ガイド棒１２１又は下側ガイド棒１２２にガタが生じたり、レンズ鏡胴１０３又はレンズ鏡胴２０１が撓む虞れがある。
【０００５】
一方、上記▲２▼は、上記▲１▼の問題点を解決するために、案内軸保持部１２１ａ，１２１ａ，１２１ｂ，１２１ｂを弾性変形可能に形成したものである。しかし、上記▲２▼では、蓋部材１２に弾性変形可能な材料しか使用できないという問題が残り、堅牢なレンズ鏡筒を具体化することはできない。
【０００６】
そこで、本発明の目的は、組立で撓みを発生させることのない、堅牢なレンズ鏡筒を提供することにある。
【０００７】
【課題を解決するための手段】
上記課題を解決するために請求項１は、レンズと、このレンズを支持する支持部と、この支持部がスライド可能に取り付けられたガイドシャフトと、このガイドシャフトを支持し第１の鏡筒と第２の鏡筒とにより成る鏡筒本体と、を備え、第１の鏡筒は、ガイドシャフトを受ける凹部を有し、第２の鏡筒は、ガイドシャフトを押さえる押さえ部を有すると共に、押さえ部のガイドシャフトと当接する部分を薄肉の薄肉部とされており、鏡筒本体は、凹部にガイドシャフトを挿入し第２の鏡筒を第１の鏡筒に取り付けた際に、薄肉部の塑性変形によりガイドシャフトを凹部に押し付けてガイドシャフトを支持するように構成されて成ることを特徴とする。
押さえ部のガイドシャフトと当接する部分を薄肉の薄肉部とされており、鏡筒本体は、凹部にガイドシャフトを挿入し第２の鏡筒を第１の鏡筒に取り付けた際に、薄肉部の塑性変形によりガイドシャフトを凹部に押し付けてガイドシャフトを支持するように構成したので、第１の鏡筒や第２の鏡筒に撓みを発生させる虞れがなく鏡筒本体を精度よく組立ることができる。
【０００８】
第１鏡筒の凹部にガイドシャフトを入れ、第１鏡筒に第２鏡筒を取付ける。このとき、押え部がガイドシャフトに当ることで塑性変形しつつ、凹部と押え部でガイドシャフトを支持する。従って、組立で第１鏡筒や第２鏡筒に撓みを発生させる虞れのない堅牢なレンズ鏡筒を具体化できる。
請求項２は、レンズと、このレンズを支持する支持部と、この支持部がスライド可能に取り付けられたガイドシャフトと、このガイドシャフトを支持し第１の鏡筒と第２の鏡筒とにより成る鏡筒本体と、を備え、第１の鏡筒は、ガイドシャフトを受ける凹部を有し、第２の鏡筒は、ガイドシャフトを押さえる押さえ部を有すると共に、押さえ部のガイドシャフトと当接する当接面を凹凸面とされており、鏡筒本体は、凹部にガイドシャフトを挿入し第２の鏡筒を第１の鏡筒に取り付けた際に、当接面の塑性変形によりガイドシャフトを凹部に押し付けてガイドシャフトを支持するように構成されて成ることを特徴とするレンズ鏡筒。
押さえ部のガイドシャフトと当接する当接面を凹凸面とされており、鏡筒本体は、凹部にガイドシャフトを挿入し第２の鏡筒を第１の鏡筒に取り付けた際に、当接面の塑性変形によりガイドシャフトを凹部に押し付けてガイドシャフトを支持するように構成したので、第１の鏡筒や第２の鏡筒に撓みを発生させる虞れがなく鏡筒本体を精度よく組立ることができる。
【０００９】
【発明の実施の形態】
本発明の実施の形態を添付図に基づいて以下に説明する。なお、図面は符号の向きに見るものとする。
図１は本発明に係るズームレンズ鏡筒の断面図であり、主要部品を示す。
レンズ鏡筒としてのズームレンズ鏡筒１は、主鏡筒２に副鏡筒３を着脱自在に構成した鏡筒本体４と、主鏡筒２に取付けた一対のガイドシャフト５，５と、主鏡筒２に取付けたフロントレンズ群６と、ガイドシャフト５，５に図示せぬ支持部材を介してスライド可能に取付けたレンズとしてのバリエータレンズ群７と、ガイドシャフト５，５に図示せぬ支持部材を介して取付けたレンズとしての固定マスターレンズ８と、ガイドシャフト５，５に図示せぬ支持部材を介してスライド可能に取付けたレンズとしての移動マスターレンズ群９と、主鏡筒２に取付けた水晶フィルタ１１と、主鏡筒２に弾性部材１２を介して取付けたＣＣＤ（Charge Coupled Device）１３と、バリエータレンズ群７をスライド移動するモータ１４と、移動マスターレンズ群９をスライド移動するモータ１５と、固定マスターーレンズ８に沿って差込んだ絞り機構２０とからなる。なお、２点鎖線で示すＣはビデオカメラ本体を示す。
【００１０】
すなわち、ズームレンズ鏡筒１は、フロントレンズ群６、バリエータレンズ群７、固定マスタースレンズ８及び移動マスターレンズ群９により被写体像をＣＣＤ１３などの撮像素子に結像して、この撮像素子で被写体像を光電変換するように構成したものである。
【００１１】
詳細には、主鏡筒２は、ハウジング２ａ内部にフロントレンズ群６の支持部２ｂを形成し、ハウジング２ａ内部に水晶フィルタ１１の取付け部２ｃを形成し、絞り機構２０の差込み部２ｄを形成し、ハウジング２ａ内部にガイドシャフト５，５を支持する凹部１７…（…は複数個を示す。以下同じ。）を形成したものである。
【００１２】
副鏡筒３は、ハウジング３ａ外部にモータ１４の取付け面３ｂを形成し、ハウジング３ａ外部にモータ１５の取付け面３ｃを形成し、ハウジング３ａに絞り機構２０の挿入口３ｄを形成し、ハウジング３ａ内部にガイドシャフト５，５の押え部１８…を形成したものである。
【００１３】
図２は図１の２−２線矢視図であり、本発明に係るズームレンズ鏡筒１の断面示す。
ガイドシャフト５，５は、主鏡筒２の横軸Ｘに対して斜めに配置したものである。これにより、鏡筒本体４の外径をコンパクトにすることができる。
また、ガイドシャフト５，５を斜めに配置したので、絞り機構２０は、ズーム鏡筒本体４の縦軸Ｙに対して角度θだけ傾斜して取付けた。
【００１４】
図３（ａ），（ｂ）は本発明に係る第１実施例の押え部を示す要部断面図であり、（ａ）は押え部１８の要部断面を示し、（ｂ）は（ａ）のｂ−ｂ線矢視図を示す。
ガイドシャフト５は、主鏡筒２の凹部１７に挿入し、副鏡筒３の押え部１８で支持したものである。
押え部１８は、副鏡筒３に支持リブ１９を形成し、この支持リブ１９の先端を薄肉に形成したものである。
支持リブ１９の先端を薄肉にして押え部１８を形成したので、主鏡筒２に副鏡筒３を取付けたときに、押え部１８がガイドシャフト５に当り塑性変形する。従って、図１に示す主鏡筒２や副鏡筒３に撓みを発生させる虞れがなくズームレンズ鏡筒１を精度よく組立ることができる。
【００１５】
以上述べたのズームレンズ鏡筒１の作用を次図で説明する。
図４（ａ）〜（ｃ）は本発明に係るズームレンズ鏡筒の作用説明図である。
（ａ）において、主鏡筒２の凹部１７にガイドシャフト５をはめ込んだものを用意し、一方、副鏡筒３を用意する。
次に、主鏡筒２に副鏡筒３を矢印▲１▼の如く被せる。
（ｂ）において、図示せぬ取付けねじで主鏡筒２に副鏡筒３を取付け、主鏡筒２側に副鏡筒３を矢印▲２▼の如く押し付けることで、押え部１８をガイドシャフト５の外形に倣って変形させる。なお、副鏡筒３を移動させる距離をｈとする。
【００１６】
（ｃ）は、組立後の押え部１８の姿であり、押え部１８はガイドシャフト５の外形に倣って変形させた状態を示す。
押え部１８を塑性変形をさせる量は（ｂ）に示した副鏡筒３を移動させる距離ｈと押え部１８の厚さｔ（図３参照）を選ぶことで任意に決めることができ、弾性変形可能な材料に限定する必要がない。従って、組立で撓みを発生させることのない、堅牢なズームレンズ鏡筒１（図１参照）を具体化できる。
【００１７】
図５（ａ），（ｂ）は本発明に係る第２実施例の押え部を示す要部断面図である。（ａ）は押え部３８の要部断面を示し、（ｂ）は（ａ）のｂ−ｂ線矢視図を示す。
ガイドシャフト５は、主鏡筒２の凹部１７に挿入し、副鏡筒３の押え部３８で支持したものである。
押え部３８は、副鏡筒３に支持リブ３９を形成し、この支持リブ３９の先端に凹凸面３８ａを形成したものである。
押え部３８の先端に凹凸面３８ａを形成したので、主鏡筒２に副鏡筒３を取付けたときに、押え部３８がガイドシャフト５に当り塑性変形する。従って、図１に示す主鏡筒２や副鏡筒３に撓みを発生させる虞れがなくズームレンズ鏡筒１（図１参照）を精度よく組立ることができる。
【００１８】
尚、実施例ではガイドシャフトに当ることで塑性変形する形状として、第１実施例で押え部を薄肉に形成し、第２実施例で押え部の先端に凹凸面を施したが、これらを組合せてもよい。
【００１９】
【発明の効果】
本発明は上記構成により次の効果を発揮する。
請求項１は、押さえ部のガイドシャフトと当接する部分を薄肉の薄肉部とされており、鏡筒本体は、凹部にガイドシャフトを挿入し第２の鏡筒を第１の鏡筒に取り付けた際に、薄肉部の塑性変形によりガイドシャフトを凹部に押し付けてガイドシャフトを支持するように構成したので、第１の鏡筒や第２の鏡筒に撓みを発生させる虞れがなく鏡筒本体を精度よく組立ることができる。
第１鏡筒の凹部にガイドシャフトを入れ、第１鏡筒に第２鏡筒を取付ける。このとき、押え部がガイドシャフトに当ることで塑性変形しつつ、凹部と押え部でガイドシャフトを支持する。従って、組立で第１鏡筒や第２鏡筒に撓みを発生させる虞れのない堅牢なレンズ鏡筒を具体化できる。
請求項２は、押さえ部のガイドシャフトと当接する当接面を凹凸面とされており、鏡筒本体は、凹部にガイドシャフトを挿入し第２の鏡筒を第１の鏡筒に取り付けた際に、当接面の塑性変形によりガイドシャフトを凹部に押し付けてガイドシャフトを支持するように構成したので、第１の鏡筒や第２の鏡筒に撓みを発生させる虞れがなく鏡筒本体を精度よく組立ることができる。
【図面の簡単な説明】
【図１】本発明に係るズームレンズ鏡筒の断面図
【図２】図１の２−２線矢視図
【図３】本発明に係る第１実施例の押え部を示す要部断面図
【図４】本発明に係るズームレンズ鏡筒の作用説明図
【図５】本発明に係る第２実施例の押え部を示す要部断面図
【符号の説明】
１…レンズ鏡筒（ズームレンズ鏡筒）、２…主鏡筒、１７…凹部、３…副鏡筒、１８，３８…押え部、５…ガイドシャフト、７…レンズ（バリエータレンズ）、８…レンズ（固定マスターレンズ）、９…レンズ（移動マスターレンズ）。
【図１】
0003731327.tif 000002
【図２】
0003731327.tif 000003
【図３】
0003731327.tif 000004
【図４】
0003731327.tif 000005
【図５】
0003731327.tif 000006